(57)【要約】【課題】セッティングの際に更なる調整が効き、スタンド脚が障害になることを回避できるとともに、例えばスタンド脚が二つの場合であっても、スタンド本体が不安定化することを回避できる楽器用スタンドの脚装置、該脚装置を備える楽器用スタンド、及び前記脚装置に用いる支持具を提供せんとする。【解決手段】スタンド本体７の外周に該スタンド本体の軸を中心とした左右方向に回動可能に被着され、外周部にスタンド脚の端部２０ａがスタンド本体７の軸に直交する軸を中心とした上下方向に回動可能に枢着される軸受け部３２ａを有する二つ以上の同軸に配置された支持部材３２Ａ，３２Ｂと、一の支持部材、又は支持部材とは別の固定用部材３１に螺合した締め付けねじ３３Ａの締め付け操作により、各支持部材３２Ａ，３２Ｂを締め付けねじの軸方向に押し付け若しくは引き寄せてスタンド本体７外周面上に当止させ、回動不能に固定する固定手段３０とより構成した。【選択図】図２
2014211506.tif 000002
【特許請求の範囲】
【請求項１】
スタンド本体から床面に延びる二つ以上のスタンド脚と、これらスタンド脚を前記スタンド本体に対して折り畳み可能に取り付ける支持具とからなり、前記スタンド本体の下端に連結されるペダル装置とともに該スタンド本体を支持する楽器用スタンドの脚装置において、
前記支持具を、
前記スタンド本体の外周に該スタンド本体の軸を中心とした左右方向に回動可能に被着され、外周部に前記スタンド脚の端部が前記スタンド本体の軸に直交する軸を中心とした上下方向に回動可能に枢着される軸受け部を有する二つ以上の同軸に配置された支持部材と、
これら支持部材のうち一の支持部材、又は前記支持部材とは別の固定用部材に螺合した締め付けねじの締め付け操作により、各支持部材を前記締め付けねじの軸方向に押し付け若しくは引き寄せてスタンド本体外周面上に当止させ、回動不能に固定する固定手段とより構成し、
前記各支持部材のスタンド本体に対する回動角度を調整することにより、該支持部材に枢着されたスタンド脚における前記スタンド本体の軸を中心とした左右回動位置を調整可能としたことを特徴とする楽器用スタンドの脚装置。
【請求項２】
前記固定用部材として、前記スタンド本体に外装される環状の外装部を有する部材を設けてなり、
前記締め付けねじの締め付け操作により、前記固定用部材を、前記締め付けねじの軸方向に沿った各支持部材と反対の方向に引き寄せ若しくは押し付けてスタンド本体外周面上に当止させ、回動不能に固定する請求項１記載の楽器用スタンドの脚装置。
【請求項３】
前記固定用部材が、前記外装部、及び前記締め付けねじが螺合される雌ねじ部よりなり、
該固定用部材の前記外装部に隣接して前記二つ以上の支持部材を同軸に配置し、
前記雌ねじ部に螺合した前記締め付けねじの締め付け操作により、該締め付けねじが前記各支持部材の外周面を直接又は他の部材を介して押圧し、これにより前記各支持部材がスタンド本体の外周面上に押し付けられて回動不能に固定されるとともに、当該固定用部材が締め付けねじの操作部がある基端方向に移動して前記外装部が当該方向に引き寄せられてスタンド本体外周面上に直接又は他の部材を介して当止し、これにより当該固定用部材がスタンド本体に対して回動不能に固定される請求項２記載の楽器用スタンドの脚装置。
【請求項４】
前記雌ねじ部が貫通して設けられ、該雌ねじ部に螺合した前記締め付けねじの締め付け操作により、前記雌ねじ部からスタンド本体側に突出したねじ先端部が前記各支持部材の外周面を直接又は他の部材を介して押圧し、これにより前記各支持部材がスタンド本体の外周面上に押し付けられて回動不能に固定されるとともに、当該固定用部材が締め付けねじの基端方向に移動して前記外装部が当該方向に引き寄せられてスタンド本体の外周面に直接又は他の部材を介して当止する請求項３記載の楽器用スタンドの脚装置。
【請求項５】
前記固定用部材が、前記スタンド本体に外装される上下一対の環状の外装部、及びこれら外装部同士をスタンド本体の外側で軸方向に空間を開けた状態に連結一体化している連結部を有し、該連結部に前記雌ねじ部を設けてなる縦断面視略コ字状の部材であり、
前記固定用部材の前記外装部間の空間に、前記二つ以上の支持部材を同軸に配置し、
前記雌ねじ部に螺合した前記締め付けねじの締め付け操作により、前記雌ねじ部からスタンド本体側に突出したねじ先端部が前記各支持部材の外周面を直接又は他の部材を介して押圧し、これにより前記各支持部材がスタンド本体の外周面上に押し付けられて回動不能に固定されるとともに、当該固定用部材が締め付けねじの基端方向に移動して前記外装部が当該方向に引き寄せられてスタンド本体の外周面に直接又は他の部材を介して当止する請求項４記載の楽器用スタンドの脚装置。
【請求項６】
前記固定用部材の外装部を、前記スタンド本体に対して軸方向にスライド可能に設け、
前記締め付けねじの締め付け操作により、前記固定用部材を、前記締め付けねじの軸方向に沿った各支持部材と反対の方向に引き寄せ若しくは押し付けてスタンド本体外周面上に当止させ、前記回動不能に固定すると同時に軸方向にスライド不能に固定する請求項２〜５の何れか１項に記載の楽器用スタンドの脚装置。
【請求項７】
前記スタンド脚を、下端が床面に設置され且つ上端が前記スタンド本体に取り付けられる支持脚と、該支持脚の途中部に一端が連結され、他端が前記支持脚の上端よりも下方の位置で同じくスタンド本体に取り付けられる連結ステーとから構成し、
前記スタンド本体の軸方向に沿って前記支持具を二つ設けるとともに、
これら支持具のうち上側の第一の支持具をスタンド本体の軸方向に沿ってスライド可能とし、
該第一の支持具に前記支持脚を取り付け、
下側の第二の支持具に前記連結ステーを取り付け、
第一の支持具を上側にスライドさせることにより、スタンド脚がスタンド本体に沿った折り畳み姿勢となる請求項１〜６の何れか１項に記載の楽器用スタンドの脚装置。
【請求項８】
請求項１〜７の何れか１項に記載の脚装置を備える楽器用スタンド。
【請求項９】
請求項１〜７の何れか１項に記載の脚装置に用いる支持具であって、
前記二つ以上の同軸に配置された支持部材と、前記固定手段とより構成してなり、前記各支持部材のスタンド本体に対する回動角度を調整することにより、該支持部材に枢着されたスタンド脚における前記スタンド本体の軸を中心とした左右回動位置を調整可能とする支持具。
【発明の詳細な説明】
【技術分野】
【０００１】
本発明は、シンバル演奏用のハイハットスタンド等に好適な楽器用スタンドの脚装置に関する。
【背景技術】
【０００２】
例えばハイハットスタンドは、二つ以上のスタンド脚とペダルフレームによりスタンド本体を支持しており、各スタンド脚はスタンド本体に対し支持具を介して折り畳み可能に取り付けられている。スタンド脚は、スタンド本体の周りに略等角度（１２０°）をおいて三つ配され、その間の位置に配されるペダルフレームとともにスタンド本体を安定した状態に支持している。
【０００３】
しかしながら、１２０°間隔の三つのスタンド脚の間にペダルが配されるため、ペダル周りが煩雑になってペダル操作時に足がスタンド脚に当たったり、特に複数の楽器を並べて演奏する場合にはスタンド脚が邪魔になってセッティングの障害になるといった問題があった。特に、ハイハットスタンドにバスドラムやスネアドラムなどの複数の楽器を隣接させてセッティングする際、スタンド脚が邪魔になって近接させることができない場合があった。
【０００４】
これに対し、スタンド脚の数を二つにして煩雑さを解消したもの（例えば、特許文献１、２参照。）や、スタンド脚を取り付けている支持具をスタンド脚と共にスタンド本体の軸を中心に左右方向に回動可能とし、これによりセッティングの際にスタンド脚が邪魔になったとき全体を左右に回動させて障害となることを回避したり足が当たりにくい好みの位置に調整できるように構成したもの（例えば、特許文献３、４参照。）も提供されている。
【０００５】
しかし、スタンド脚の数を二つに減らしても位置が固定されているとセッティングの際に調整が効かず障害になる場合があり、また支持具と共にスタンド脚を左右に回動させてセッティングの障害となることを回避するものについても、位置が固定されている場合に比べて比較的調整が効くものの尚十分ではなく、どのように回動させても邪魔になる場合もあり、またスタンド脚が二つの場合にこのように支持具と共にスタンド脚を左右に回動させると、ペダルフレームとの関係でスタンド本体が不安定化する虞もある。
【先行技術文献】
【特許文献】
【０００６】
【特許文献１】実開昭５３−１０１５３３号公報
【特許文献２】特開平１１−９５７４４号公報
【特許文献３】特開平１０−２３２６７０号公報
【特許文献４】特開２００１−１０９４６６号公報
【発明の概要】
【発明が解決しようとする課題】
【０００７】
そこで、本発明が前述の状況に鑑み、解決しようとするところは、セッティングの際に更なる調整が効き、スタンド脚が障害になることを回避できるとともに、例えばスタンド脚が二つの場合であっても、スタンド本体が不安定化することを回避できる楽器用スタンドの脚装置、該脚装置を備える楽器用スタンド、及び前記脚装置に用いる支持具を提供する点にある。
【課題を解決するための手段】
【０００８】
本発明は、前述の課題解決のために、スタンド本体から床面に延びる二つ以上のスタンド脚と、これらスタンド脚を前記スタンド本体に対して折り畳み可能に取り付ける支持具とからなり、前記スタンド本体の下端に連結されるペダル装置とともに該スタンド本体を支持する楽器用スタンドの脚装置において、前記支持具を、前記スタンド本体の外周に該スタンド本体の軸を中心とした左右方向に回動可能に被着され、外周部に前記スタンド脚の端部が前記スタンド本体の軸に直交する軸を中心とした上下方向に回動可能に枢着される軸受け部を有する二つ以上の同軸に配置された支持部材と、これら支持部材のうち一の支持部材、又は前記支持部材とは別の固定用部材に螺合した締め付けねじの締め付け操作により、各支持部材を前記締め付けねじの軸方向に押し付け若しくは引き寄せてスタンド本体外周面上に当止させ、回動不能に固定する固定手段とより構成し、前記各支持部材のスタンド本体に対する回動角度を調整することにより、該支持部材に枢着されたスタンド脚における前記スタンド本体の軸を中心とした左右回動位置を調整可能としたことを特徴とする楽器用スタンドの脚装置を構成した。
【０００９】
ここで、前記固定用部材として、前記スタンド本体に外装される環状の外装部を有する部材を設けてなり、前記締め付けねじの締め付け操作により、前記固定用部材を、前記締め付けねじの軸方向に沿った各支持部材と反対の方向に引き寄せ若しくは押し付けてスタンド本体外周面上に当止させ、回動不能に固定するものが好ましい。
【００１０】
特に、前記固定用部材が、前記外装部、及び前記締め付けねじが螺合される雌ねじ部よりなり、該固定用部材の前記外装部に隣接して前記二つ以上の支持部材を同軸に配置し、前記雌ねじ部に螺合した前記締め付けねじの締め付け操作により、該締め付けねじが前記各支持部材の外周面を直接又は他の部材を介して押圧し、これにより前記各支持部材がスタンド本体の外周面上に押し付けられて回動不能に固定されるとともに、当該固定用部材が締め付けねじの操作部がある基端方向に移動して前記外装部が当該方向に引き寄せられてスタンド本体外周面上に直接又は他の部材を介して当止し、これにより当該固定用部材がスタンド本体に対して回動不能に固定されるものが好ましい。
【００１１】
さらに、前記雌ねじ部が貫通して設けられ、該雌ねじ部に螺合した前記締め付けねじの締め付け操作により、前記雌ねじ部からスタンド本体側に突出したねじ先端部が前記各支持部材の外周面を直接又は他の部材を介して押圧し、これにより前記各支持部材がスタンド本体の外周面上に押し付けられて回動不能に固定されるとともに、当該固定用部材が締め付けねじの基端方向に移動して前記外装部が当該方向に引き寄せられてスタンド本体の外周面に直接又は他の部材を介して当止するものが好ましい。
【００１２】
さらに具体的には、前記固定用部材が、前記スタンド本体に外装される上下一対の環状の外装部、及びこれら外装部同士をスタンド本体の外側で軸方向に空間を開けた状態に連結一体化している連結部を有し、該連結部に前記雌ねじ部を設けてなる縦断面視略コ字状の部材であり、前記固定用部材の前記外装部間の空間に、前記二つ以上の支持部材を同軸に配置し、前記雌ねじ部に螺合した前記締め付けねじの締め付け操作により、前記雌ねじ部からスタンド本体側に突出したねじ先端部が前記各支持部材の外周面を直接又は他の部材を介して押圧し、これにより前記各支持部材がスタンド本体の外周面上に押し付けられて回動不能に固定されるとともに、当該固定用部材が締め付けねじの基端方向に移動して前記外装部が当該方向に引き寄せられてスタンド本体の外周面に直接又は他の部材を介して当止するものが好ましい。
【００１３】
また、前記固定用部材の外装部を、前記スタンド本体に対して軸方向にスライド可能に設け、前記締め付けねじの締め付け操作により、前記固定用部材を、前記締め付けねじの軸方向に沿った各支持部材と反対の方向に引き寄せ若しくは押し付けてスタンド本体外周面上に当止させ、前記回動不能に固定すると同時に軸方向にスライド不能に固定するものが好ましい。
【００１４】
また、前記スタンド脚を、下端が床面に設置され且つ上端が前記スタンド本体に取り付けられる支持脚と、該支持脚の途中部に一端が連結され、他端が前記支持脚の上端よりも下方の位置で同じくスタンド本体に取り付けられる連結ステーとから構成し、前記スタンド本体の軸方向に沿って前記支持具を二つ設けるとともに、これら支持具のうち上側の第一の支持具をスタンド本体の軸方向に沿ってスライド可能とし、該第一の支持具に前記支持脚を取り付け、下側の第二の支持具に前記連結ステーを取り付け、第一の支持具を上側にスライドさせることにより、スタンド脚がスタンド本体に沿った折り畳み姿勢となるものが好ましい。
【００１５】
また本発明は、上記した脚装置を備える楽器用スタンドをも提供する。
【００１６】
また本発明は、上記した脚装置に用いる支持具であって、前記二つ以上の同軸に配置された支持部材と、前記固定手段とより構成してなり、前記各支持部材のスタンド本体に対する回動角度を調整することにより、該支持部材に枢着されたスタンド脚における前記スタンド本体の軸を中心とした左右回動位置を調整可能とする支持具をも提供する。
【発明の効果】
【００１７】
以上にしてなる本願発明によれば、各支持部材のスタンド本体に対する回動角度を調整することにより、各支持部材に枢着されたスタンド脚について、スタンド本体の軸を中心とした左右回動位置が各々独立に調整可能であるので、セッティングの際、スタンド脚の位置のより最適な調整が効き、したがってスタンド脚が障害になることを回避できるとともに、スタンド脚が二つの場合でもスタンド本体が不安定化することを回避することが可能となる。また締め付けねじの操作で各支持部材が固定されるので、操作性が著しく向上する。
【００１８】
また、前記固定用部材として、前記スタンド本体に外装される環状の外装部を有する部材を設けてなり、前記締め付けねじの締め付け操作により、前記固定用部材を、前記締め付けねじの軸方向に沿った各支持部材と反対の方向に引き寄せ若しくは押し付けてスタンド本体外周面上に当止させ、回動不能に固定されるので、スタンド本体に外装される前記固定用部材により締め付けねじを介して各支持部材を安定かつ強固に前記スタンド本体外周面上に固定することができ、調整後のスタンド脚の支持強度も十分なものとなる。また、締め付けねじが支持部材ではなく固定用部材に設けられるので、締め付けねじが支持部材とともに回動することが避けられるので、調整の際の操作性が向上する。
【００１９】
また、前記固定用部材が、前記外装部、及び前記締め付けねじが螺合される雌ねじ部よりなり、該固定用部材の前記外装部に隣接して前記二つ以上の支持部材を同軸に配置し、前記雌ねじ部に螺合した前記締め付けねじの締め付け操作により、該締め付けねじが前記各支持部材の外周面を直接又は他の部材を介して押圧し、これにより前記各支持部材がスタンド本体の外周面上に押し付けられて回動不能に固定されるとともに、当該固定用部材が締め付けねじの操作部がある基端方向に移動して前記外装部が当該方向に引き寄せられてスタンド本体外周面上に直接又は他の部材を介して当止し、これにより当該固定用部材がスタンド本体に対して回動不能に固定されるので、前記固定用部材により締め付けねじを介して各支持部材をより安定かつ強固に固定することができ、スタンド脚の支持強度も高いものとなる。
【００２０】
また、前記雌ねじ部が貫通して設けられ、該雌ねじ部に螺合した前記締め付けねじの締め付け操作により、前記雌ねじ部からスタンド本体側に突出したねじ先端部が前記各支持部材の外周面を直接又は他の部材を介して押圧し、これにより前記各支持部材がスタンド本体の外周面上に押し付けられて回動不能に固定されるとともに、当該固定用部材が締め付けねじの基端方向に移動して前記外装部が当該方向に引き寄せられてスタンド本体の外周面に直接又は他の部材を介して当止するので、固定用部材を用いつつもシンプルな構造で実現でき、部品点数が少なく低コストで且つ軽量な構造とすることができる。
【００２１】
また、前記固定用部材が、前記スタンド本体に外装される上下一対の環状の外装部、及びこれら外装部同士をスタンド本体の外側で軸方向に空間を開けた状態に連結一体化している連結部を有し、該連結部に前記雌ねじ部を設けてなる縦断面視略コ字状の部材であり、前記固定用部材の前記外装部間の空間に、前記二つ以上の支持部材を同軸に配置し、前記雌ねじ部に螺合した前記締め付けねじの締め付け操作により、前記雌ねじ部からスタンド本体側に突出したねじ先端部が前記各支持部材の外周面を直接又は他の部材を介して押圧し、これにより前記各支持部材がスタンド本体の外周面上に押し付けられて回動不能に固定されるとともに、当該固定用部材が締め付けねじの基端方向に移動して前記外装部が当該方向に引き寄せられてスタンド本体の外周面に直接又は他の部材を介して当止するので、スタンド脚を支持する各支持部材が固定用部材の前記外装部間に安定した姿勢で配置されることになり、各支持部材をより安定かつ強固に固定することができるとともにスタンド脚の支持強度を高めることができる。
【００２２】
また、前記固定用部材の外装部を、前記スタンド本体に対して軸方向にスライド可能に設け、前記締め付けねじの締め付け操作により、前記固定用部材を、前記締め付けねじの軸方向に沿った各支持部材と反対の方向に引き寄せ若しくは押し付けてスタンド本体外周面上に当止させ、前記回動不能に固定すると同時に軸方向にスライド不能に固定するので、脚の折り畳みも同じ締め付けねじを用いて効率よく行うことができる。
【００２３】
また、前記スタンド脚を、下端が床面に設置され且つ上端が前記スタンド本体に取り付けられる支持脚と、該支持脚の途中部に一端が連結され、他端が前記支持脚の上端よりも下方の位置で同じくスタンド本体に取り付けられる連結ステーとから構成し、前記スタンド本体の軸方向に沿って前記支持具を二つ設けるとともに、これら支持具のうち上側の第一の支持具をスタンド本体の軸方向に沿ってスライド可能とし、該第一の支持具に前記支持脚を取り付け、下側の第二の支持具に前記連結ステーを取り付け、第一の支持具を上側にスライドさせることにより、スタンド脚がスタンド本体に沿った折り畳み姿勢となるので、スタンド脚の位置を調整する場合は、第一の支持具の締め付けねじと第二の支持具の締め付けねじの双方を緩め、双方の支持部材を同じだけ左右に回動させてスタンド脚の位置が決まれば双方の締め付けねじを締め付けて容易に固定することができる。また脚装置を折り畳む際には、第一の支持具の同じ締め付けねじのみ緩め、第一の支持具を上方にスライドさせればスタンド脚を折り畳むことができ、この際、スタンド脚の左右の位置は第二の支持具により固定されたまま維持されるので、次回使用する際にもスタンド脚は同じ位置にセッティングできる。
【図面の簡単な説明】
【００２４】
【図１】本発明の脚装置を有するハイハットスタンドの全体構成図。
【図２】同じくハイハットスタンドの脚装置の要部を示す斜視図。
【図３】同じく脚装置の要部の分解斜視図。
【図４】同じく脚装置の要部の縦断面図。
【図５】同じく脚装置のスタンド脚の調整の様子を示す横断面図。
【図６】同じくハイハットスタンドの脚装置の要部を示す斜視図。
【図７】同じく脚装置の要部の分解斜視図。
【図８】同じく脚装置の要部の縦断面図。
【図９】同じく脚装置のスタンド脚の調整の様子を示す横断面図。
【図１０】同じく脚装置の変形例を示す要部の縦断面図。
【図１１】同じく脚装置の他の変形例を示す要部の縦断面図。
【図１２】同じく脚装置のさらに他の変形例を示す要部の縦断面図。
【図１３】同じく変形例を示す要部の分解斜視図。
【図１４】（ａ）は同じく脚装置のさらに他の変形例を示す要部の平面図、（ｂ）は同じく変形例の要部の縦断面図。
【図１５】（ａ）は同じく脚装置のさらに他の変形例を示す要部の平面図、（ｂ）は同じく変形例の要部の縦断面図。
【図１６】同じく脚装置のさらに他の変形例を示す要部の縦断面図。
【図１７】同じく脚装置のさらに他の変形例を示す要部の縦断面図。
【図１８】同じくハイハットスタンドの脚装置及びペダル装置を折り畳んだ状態を示す全体図。
【発明を実施するための形態】
【００２５】
次に、本発明の実施形態を添付図面に基づき詳細に説明する。尚、以下の実施形態においては、本発明に係る脚装置をハイハットスタンドに適用した例について説明するが、本発明はこれに限定されるものではなく、楽器用のスタンド全般に適用することができる。
【００２６】
本発明の一実施形態としてのハイハットスタンドＨは、図１に示すように、上部に楽器であるシンバル８０、８１を支持するスタンド本体７と、シンバルの演奏を行うペダル装置４と、スタンド本体７を支持する折畳み自在な脚装置１とで構成されている。本例では主に金属材料より構成しているが、特に限定されるものではない。
【００２７】
スタンド本体７は、下パイプ７０と、この下パイプ７０の上部に挿通され、蝶ねじ７５によって高さ調整可能に支持される上パイプ７１と、この下パイプ７０及び上パイプ７１の内部に挿着され、下方に突出して連結したペダル４１の踏み込み操作により昇降され、上方に突出した部位に上部シンバル８１が保持される昇降ロッド７２と、下パイプ７０内に内装され、昇降ロッド７２を上方に付勢して上部シンバル８１を下部シンバル８０から離間させる図示しないコイルばねと、コイルばね張力を調節するばね張力調整装置７６とより構成されている。
【００２８】
下部シンバル８０は上パイプ７１の上端部に設けられるシンバル受け具７３に支持され、上部シンバル８１は上パイプ７１の上端から突出している昇降ロッド７２上端部に固定されるシンバル保持具７４により保持されている。そして、ペダル４１を踏み込むことにより昇降ロッド７２がコイルばねに抗して引き下げられ、昇降ロッド７２と一体に上部シンバル８１も下降してシンバル受け具７３に支持されている下部シンバル８０を衝打する。
【００２９】
脚装置１は、スタンド本体７から床面に延びる二つのスタンド脚２と、これらスタンド脚２をスタンド本体７に対して折り畳み可能に取り付ける支持具３Ａ，３Ｂとから構成され、スタンド本体７の下端に連結されるペダル装置４とともにスタンド本体７を支持している。各スタンド脚２は、下端が床面に設置され且つ上端部２０ａが支持具３Ａを介してスタンド本体７の下パイプ７０に取り付けられる支持脚２０と、該支持脚２０の途中部に一端が連結され、他端部２１ａが支持脚２０の上端よりも下方の位置で支持具３Ｂを介して下パイプ７０に取り付けられる連結ステー２１とより構成されている。
【００３０】
第一の支持具３Ａはスタンド本体７の下パイプ７０の軸方向に沿ってスライド可能に被着され、この第一の支持具３Ａに支持脚２０の前記上端部２０ａが上下回動可能に枢支されている。また、下側の第二の支持具３Ｂは下パイプ７０に対して軸方向にスライド不能に被着され、この第二の支持具３Ｂに連結ステー２１の前記他端部２１ａが同じく上下回動可能に枢支されている。第一の支持具３Ａを上側にスライドさせると、図１８に示すようにスタンド脚２が下パイプ７０に沿った折り畳み姿勢に姿勢変更される。尚、スタンド脚を他の構造として一つ又は二つ以上の支持具で折り畳み可能に構成してもよい。本例の脚装置１はスタンド脚２を二つ設けたものであるが、後述するように三つ以上設けたものでもよい。
【００３１】
第一の支持具３Ａは、図２〜図５に示すように、スタンド本体７の下パイプ７０の外周に互いに同軸で該下パイプ７０の中心軸を中心に左右に回動可能に被着される支持部材３２Ａ、３２Ｂと、固定用部材３１及び締め付けねじ３３Ａよりなる固定手段３０とを備えている。締め付けねじ３３Ａを操作して各支持部材３２Ａ，３２Ｂの下パイプ７０に対する回動角度（固定位置）を調整することにより、各スタンド脚２における下パイプ７０の軸を中心とした左右回動位置を調整することが可能となる。
【００３２】
支持部材３２Ａ，３２Ｂは、外周部に軸受け部３２ａを有し、該軸受け部３２ａにスタンド脚２の端部２ａが下パイプ７０の軸に直交する軸３２ｄを中心に上下に回動可能に枢着されている。支持部材３２Ａ，３２Ｂはスタンド脚２と同じ数だけ設けられ、スタンド脚２の数を３つ以上に増やせばそれに応じて支持部材も３つ以上設けられる。
【００３３】
固定用部材３１は、図３〜図５に示すように、スタンド本体７（下パイプ７０）に外装される環状の外装部５１と、締め付けねじ３３Ａが螺合される雌ねじ部５０とより構成されており、より具体的には、上下一対の前記外装部５１、５１と、これら外装部５１同士をスタンド本体７（下パイプ７０）の外側で軸方向に空間を開けた状態に連結一体化している連結部５２を有する縦断面視略コ字状の部材であり、連結部５２に雌ねじ部５０が設けられている。外装部５１、５１間の空間に支持部材３２Ａ，３２Ｂが同軸に配される。
【００３４】
そして、連結部５２の雌ねじ部５０に螺合した締め付けねじ３３Ａを締め付けることで、雌ねじ部５０より下パイプ７０側に突出したねじ先端部３３ａが各支持部材３２Ａ，３２Ｂの外周面を押圧し、これにより各支持部材３２Ａ，３２Ｂが下パイプ７０の外周面上に押し付けられて回動不能に固定されるとともに、固定用部材３１が締め付けねじ３３Ａの基端方向に移動して外装部５１，５１が当該方向に引き寄せられ、下パイプ７０の外周面上に当止される。
【００３５】
この第一の支持具３Ａの固定用部材３１は、少なくとも下パイプ７０の軸方向に沿って上下方向にスライド可能であればよく、必ずしもスタンド本体７に対して回動可能に構成する必要はない。例えば下パイプ７０の外周上に軸方向に沿って凹条または凸条の案内部を設け、固定用部材を該案内部に係合した状態で上下にスライド可能且つ回動不能に取り付けて構成したものでもよい。このように固定用部材を回動不能に構成すれば、締め付けねじ３３Ａの回動位置も固定され、操作性がより向上することとなる。
【００３６】
雌ねじ部５０は、本例では固定用部材３１の連結部５２の内周側に開口する溝部５４に回転不能に装着されるナット３６の雌ねじと、該雌ねじに連通し外周面に開口する通孔５５とより構成され、通孔５５から締め付けねじ３３Ａを挿通して前記ナットの雌ねじに螺合する構造とされている。尚、このようなナット３６の雌ねじより雌ねじ部５０を構成すること以外に直接、連結部５２にねじ孔を穿設してもよい。締め付けねじ３３Ａは蝶ねじであり、脚の角度調整や折り畳みの際に容易に操作できる構造とされている。
【００３７】
外装部５１は下パイプ７０の外周面に略平行な円環状の内周面を有しているが、少なくともネジの取付部と反対側に下パイプ７０外周面上に当止する当止部があれば形状は特に限定されず、たとえば環状ではなく一部が下パイプの直径より小さい幅で途切れている平面視略Ｃ字状の構造でもよい。
【００３８】
締め付けねじ先端部３３ａと支持部材３２Ａ，３２Ｂとの間には、図３および図４に示すように上下にそれぞれ支持部材３２Ａ，３２Ｂを押すための突部３４ａを有する縦断面視略コ字状の押圧部材３４が溝部５４内に介装されている。勿論、ねじ先端部３３ａは直接、各支持部材３２Ａ，３２Ｂの双方の外周面を押圧するように構成することもできる。しかし、支持部材３２Ａ，３２Ｂに寸法誤差があると先にねじ先端部３３ａに当接する一方の支持部材のみ押圧されて回動不能に当止され、他方は押圧および当止されずに回動可能なままの状態となってしまう不都合が生じうる。
【００３９】
これに対し、本例のように押圧部材３４を介して各支持部材３２Ａ，３２Ｂの外周面を押圧することで、支持部材３２Ａ，３２Ｂの外径に寸法誤差のばらつきがあっても当該押圧部材３４の突起３４ａ、３４ａが各支持部材３２Ａ，３２Ｂの外周面に当接する状態まで押圧部材３４が傾いて誤差を吸収し、ねじ先端部３３ａからの押圧力を常に双方の支持部材３２Ａ，３２Ｂにほぼ均等に作用させることができる。したがって、上記不都合を回避でき、双方を確実に回動不能に当止させることができる。押圧部材３４の突起３４ａ，３４ａを無くすことも可能であり、無くても同様の誤差を吸収する効果が生じうる。
【００４０】
また、このような押圧部材３４を省略し、図１０のように構成してもよい。すなわち、締め付けねじ３３Ａにより一方の支持部材３２Ａを介して他方の支持部材３２Ｂを押圧することで、支持部材３２Ｂを下パイプ７０外周面上に当止させると同時に支持部材３２Ａを支持部材３２Ｂに当止させ、双方を回動不能に固定するように構成することも好ましい例である。このように構成することで、同じく上記寸法誤差による不都合を回避することができる。ここで、支持部材３２Ａ，３２Ｂには軸中心方向に互いに掛合する掛合部５３が設けられ、該掛合部５３により一方の支持部材３２Ａが他方の支持部材３２Ｂを押圧することになる。本例では掛合部５３として、一方の支持部材３２Ａに他方の支持部材３２Ｂの外周面を押圧するための突片が支持部材３２Ａの方向（下方）に突設されているが、支持部材３２Ｂの径方向途中部の上面に凹溝を設け、掛合部として該凹溝に係合する凸部を設けたものでもよい。
【００４１】
支持部材３２Ａ，３２Ｂおよび固定用部材３１の外装部５１、５１は、下パイプ７０の外周面上に直接外装されているのではなく、合成樹脂製のスペーサ部材３５を介して下パイプ７０に外装されているが、このようなスペーサ部材３５を省略し、スタンド本体７（下パイプ７０）の外周面上に直接外装されるように構成してもよい。
【００４２】
支持部材３２Ａ，３２Ｂは、上下一対の外装部５１、５１に挟まれるように同軸且つそれぞれ上下の外装部５１、５１に隣接配置されている。したがって支持部材３２Ａ，３２Ｂを固定用部材３１の前記外装部５１、５１間に軸方向にぶれることなく安定姿勢で回動可能に装着できると同時に、スタンド脚２から受けるスタンド荷重の反作用力を確実に支持することができる。ただし、このような構造に限定されるものではなく、例えば図１１に示すように、外装部５１を一つのみで構成するとともにその上下一方の隣側に複数の支持部材を同軸に並べて配置したり、或いは図１２〜図１４に示すように一つの外装部５１の上下双方にそれぞれ支持部材を同軸に隣接配置させたものでもよい。
【００４３】
図１２及び図１３に示す例は、外装部５１を一つのみ設け、内周側に開口する溝部５４を、ナット３６が回転不能に係合される溝部とこれに連通する内周側の縦長の溝部より構成し、該縦長な溝部内に、外装部５１の上下にそれぞれ配置される支持部材３２Ａ，３２Ｂの外周面を押すための突部３４ａを上下に有する縦断面視略コ字状の押圧部材３４を介装してなるものである。締め付けねじ３３Ａを締め付けると、雌ねじ部５０より下パイプ７０側に突出したねじ先端部３３ａが押圧部材３４を介して各支持部材３２Ａ，３２Ｂを押圧し、下パイプ７０の外周面上に押し付けて回動不能に固定するとともに、外装部５１は締め付けねじ３３Ａの基端方向に移動して下パイプ７０の外周面上に当止される。本例では、スペーサ部材３５の上下端に鍔部を設けて支持部材３２Ａ，３２Ｂを挟み込んでいるが、その他の構造、たとえば各支持部材３２Ａ，３２Ｂと外装部５１との間に軸方向に係合するピンと溝を設けた構造などを設けるものでもよい。
【００４４】
また、図１４に示す例は、同じく外装部５１を一つのみ設け、外装部５１の上下にそれぞれ配置される支持部材３２Ａ，３２Ｂの外周面を押すための上下に長い突部３９ａを左右端部に有し、且つ締め付けねじ３３Ａが外方から内方に向かって貫通する通孔を備える平面視略コ字状の押圧部材３９を、外装部５１の雌ねじ部５０を有する凸部を覆うように外側に係合した状態に配置し、該押圧部材３９の通孔を外方から貫通して頭部が押圧部材３９外周面の該通孔周縁部に係止し且つ先端側が前記雌ねじ部５０に螺合する締め付けねじ３３Ａを設けてなる構造である。締め付けねじ３３Ａを締め付けると、締め付けねじ３３Ａの頭部が押圧部材３９を介して各支持部材３２Ａ，３２Ｂを押圧し、下パイプ７０の外周面上に押し付けて回動不能に固定するとともに、外装部５１は締め付けねじ３３Ａの基端方向（頭部の方向）に移動して下パイプ７０の外周面上に当止される。本例においても、スペーサ部材３５の上下端に鍔部を設けて支持部材３２Ａ，３２Ｂを挟み込んでいるが、その他の構造、たとえば各支持部材３２Ａ，３２Ｂと外装部５１との間に軸方向に係合するピンと溝を設けた構造などを設けるものでもよい。
【００４５】
固定用部材３１の他の例としては、図１５に示すように、スタンド本体７（下パイプ７０）に外装される環状の外装部材５６と、締め付けねじ３３Ａが螺合される雌ねじ部５０が略中央位置に形成された係止部材５７とより分割構成するとともに、下パイプ７０に外装された前記外装部材５６の上下に支持部材３２Ａ，３２Ｂを同軸に外装し、各支持部材３２Ａ，３２Ｂには下パイプ７０の軸方向に貫通し且つ下パイプ７０の周方向に沿って所定角度範囲だけ延びる長穴３７を設け、前記係止部材５７を各長穴３７を縦方向に連通させた状態に挿着し且つ雌ねじ部５０に対して外方から締め付けねじ３３Ａを螺合し、貫通したねじ先端部３３ａで前記外装部材５６の外周面を直接又は他の部材を介して押圧することで、該外装部材５６を下パイプ７０の外周面に対して当止させると同時に各支持部材３２Ａ，３２Ｂを前記係止部材５７及び長穴３７を介して外方に引き寄せ、同じく下パイプ７０の外周面に対して当止させ、回動不能に固定する構造も可能である。
【００４６】
また、例えば図１６又は図１７に示すように、支持部材３２Ａ，３２Ｂのうち一の支持部材に締め付けねじ３３Ａを螺合し、各支持部材を締め付けねじの軸方向に押し付け若しくは引き寄せてスタンド本体７（下パイプ７０）外周面上に当止させる構造とすることで、固定用部材３１を省略することもできる。図１６は、一方の支持部材３２Ａに他方の支持部材３２Ｂの外方位置まで延出する凸部５８を設け、該凸部５８に前記締め付けねじ３３Ａが外方から螺合して内側に貫通し、該締め付けねじ３３Ａのねじ先端部３３ａが支持部材３２Ｂの外周面を直接又は他の部材を介して押圧することにより、該支持部材３２Ｂを下パイプ７０外周面上に押し付けて当止させ、且つ当該支持部材３２Ａが外方に引き寄せられて同じく下パイプ７０の外周面上に押し付けられて当止する構造である。
【００４７】
また、図１７は、一方の支持部材３２Ａに同じく他方の支持部材３２Ｂの外方位置まで延出する凸部５８を設け、該凸部５８に下パイプ７０の周方向に沿って所定角度範囲だけ延び且つ前記締め付けねじ３３Ａが外方から内方に向かって貫通する長穴３８を設けるとともに、他方の支持部材３２Ｂの外周面上に開口する雌ねじ部５０を設け、前記凸部５８の長穴３８を外方から貫通して頭部が支持部材３２Ａの凸部５８の外周面における前記長穴３８開口周縁部に係止し且つ先端側が前記雌ねじ部５０に螺合する締め付けねじ３３Ａを設けることにより、締め付けねじ３３Ａの頭部及び凸部５８を介して支持部材３２Ａを下パイプ７０外周面上に押し付けて当止させ、且つ当該支持部材３２Ｂが外方に引き寄せられて同じく下パイプ７０の外周面上に押し付けられて当止する構造である。
【００４８】
第二の支持具３Ｂは、図６〜図９に示すように、スタンド本体７の下パイプ７０の外周に互いに同軸で該下パイプ７０の中心軸を中心に左右に回動可能に被着される支持部材３２Ａ、３２Ｂと、固定用部材３１及び締め付けねじ３３Ｂよりなる固定手段３０とを備えている。そして、第一の支持具３Ａの場合と同様、締め付けねじ３３Ｂを操作して各支持部材３２Ａ，３２Ｂの下パイプ７０に対する回動角度（固定位置）を調整することにより、各スタンド脚２における下パイプ７０の軸を中心とした左右回動位置を調整することが可能となる。但し、第一の支持具３Ａとは異なり、第２の支持具３Ｂは下パイプ７０の軸に沿った方向へスライド不能、すなわち上下の位置は固定されている。
【００４９】
また、締め付けねじ３３Ｂは、蝶ねじではなく専用工具で操作するボルトとされ、これを囲んで折り畳んだペダルがボルトの頭に当たらないように保護するためのゴム製又は合成樹脂エラストマー製等の保護カバー６３が設けられている。その他、第二の支持具３Ｂの構成及び変形例については、第一の支持具３Ａの構成及び各種変形例とほぼ同様であるので、同一構造については同一符号を付して説明を省略する。
【００５０】
スタンド脚２の位置を調整する場合、第一の支持具３Ａの締め付けねじ３３Ａと第二の支持具３Ｂの締め付けねじ３３Ｂの双方を緩め、双方の支持部材３２Ａ，３２Ｂを同じだけ左右に回動させて、二つのスタンド脚２の位置が決まれば双方の締め付けねじ３３Ａ，３３Ｂを締め付けて固定する。脚装置１を折り畳む際には、第一の支持具３Ａの締め付けねじ３３Ａのみ緩め、第一の支持具３Ａを上方にスライドさせることで，図１８に示すようにスタンド脚が折り畳まれる。この際、各スタンド脚の左右の位置は第二の支持具３Ｂにより固定されたまま維持され、次回使用する際にも同じ位置にセッティングできる。
【００５１】
本例では、第一の支持具３Ａと第二の支持具３Ｂをほぼ同じ構造としたが、互いに異なる構成、すなわち一方又は双方を変形例その他の構造としてもよい。また、本例の支持具３Ａ，３Ｂはいずれもスタンド本体７を構成している下パイプ７０に被着しているが、一方又は双方をスタンド本体を構成する他の部材（中間パイプ等）に被着させることも勿論可能である。
【００５２】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００５３】
１  脚装置
２  スタンド脚
２ａ  端部
３Ａ，３Ｂ  支持具
４  ペダル装置
７  スタンド本体
２０  支持脚
２０ａ  上端部
２１  連結ステー
２１ａ  他端部
３０  固定手段
３１  固定用部材
３２Ａ，３２Ｂ  支持部材
３２ａ  軸受け部
３２ｄ  軸
３３ａ  先端部
３４  押圧部材
３４ａ  突起
３５  スペーサ部材
３６  ナット
３７  長穴
３８  長穴
３９  押圧部材
３９ａ  突部
４１  ペダル
５０  雌ねじ部
５１  外装部
５２  連結部
５３  掛合部
５４  溝部
５５  通孔
５６  外装部材
５７  係止部材
５８  凸部
６３  保護カバー
７０  下パイプ
７１  上パイプ
７２  昇降ロッド
７３  シンバル受け具
７４  シンバル保持具
７６  張力調整装置
８０  下部シンバル
８１  上部シンバル
Ｈ  ハイハットスタンド
【図１】
2014211506.tif 000003
【図２】
2014211506.tif 000004
【図３】
2014211506.tif 000005
【図４】
2014211506.tif 000006
【図５】
2014211506.tif 000007
【図６】
2014211506.tif 000008
【図７】
2014211506.tif 000009
【図８】
2014211506.tif 000010
【図９】
2014211506.tif 000011
【図１０】
2014211506.tif 000012
【図１１】
2014211506.tif 000013
【図１２】
2014211506.tif 000014
【図１３】
2014211506.tif 000015
【図１４】
2014211506.tif 000016
【図１５】
2014211506.tif 000017
【図１６】
2014211506.tif 000018
【図１７】
2014211506.tif 000019
【図１８】
2014211506.tif 000020